(57)【特許請求の範囲】
【請求項１】
内容物を収容し、内容物を排出する排出部を上部に具備したチューブ本体と、
前記排出部に結合され、前記排出部から排出される内容物が移動する内容物移動通路を内部に持ち、下部を中心軸にして、上部が回転可能に構成される、弾性材質の支持体と、
前記支持体の上部に結合され、中央部に内容物吐出ホールを有し、ユーザの肌の局面に沿った前記支持体の変形によって、角度が変化し、ユーザの肌に内容物を塗布するアプリケータと、
前記支持体の内側に挿入され、上部が前記アプリケータの内側に結合され、前記アプリケータを支持し、前記支持体の上部内周面に密着し、前記支持体の変形を制限する回転制御部と、
前記支持体の下部を覆って前記排出部に結合され、前記支持体を前記排出部に固定する固定体と、
前記支持体及び前記アプリケータを覆って前記固定体に結合され、前記内容物吐出ホールを閉栓する閉栓棒を内側に持つオーバーキャップと、を有する
ことを特徴とする、アプリケータを具備したチューブ容器。
【請求項２】
前記回転制御部は、
前記排出部の内側に受支され、前記支持体の傾く程度を制御する回転軸と、
前記回転軸の上部に延在し、前記支持体の上部内周面に密着し、前記内容物移動通路を通って移動する内容物が前記内容物吐出ホールに移動するための、内容物流入ホール及び内容物移動ホールを持つ内容物移動部と、を有する
ことを特徴とする、請求項１に記載の、アプリケータを具備したチューブ容器。
【請求項３】
前記内容物移動部の外周面には、前記内容物移動部が上方に移動することを制限する制限部が設けられ、前記支持体の内側には、前記制限部の上端を係止する抑止部が設けられる
ことを特徴とする、請求項２に記載の、アプリケータを具備したチューブ容器。
【請求項４】
前記内容物移動部の外周面には、前記アプリケータが前記支持体から離脱することを防止するための離脱防止突起が設けられ、前記アプリケータの内側には、前記離脱防止突起の下端に当接する係止部が設けられる
ことを特徴とする、請求項２に記載の、アプリケータを具備したチューブ容器。
【請求項５】
前記排出部の内側には、前記回転軸の下端を受支するように多数の受支突起が離間して並び、内容物が移動する空間を形成すること
を特徴とする、請求項２に記載の、アプリケータを具備したチューブ容器。
【請求項６】
前記排出部の外周面には、前記オーバーキャップが前記固定体に締結される過程で、前記固定体が回転することを防止するように回転防止突起が設けられ、前記固定体の内周面には、前記回転防止突起と嵌合する回転防止溝が設けられることを特徴とする、
請求項２に記載の、アプリケータを具備したチューブ容器。
【発明の詳細な説明】
【技術分野】
【０００１】
本発明は、アプリケータを具備したチューブ容器に関し、より詳細には、支持体の内側に回転制御部を設け、アプリケータを用いて内容物を肌に塗布、又は、肌をマッサージする時、支持体の傾く程度を制御することが容易にできるだけでなく、回転制御部によってアプリケータと結合される支持体上部の変形を防止することにより、アプリケータと支持体との結合性を改善し、アプリケータが離脱する現象を防止することができる、アプリケータを具備したチューブ容器に関するものである。
【背景技術】
【０００２】
一般的に、チューブ容器とは、内容物を収容し、その上部に内容物を排出する排出部を具備する容器本体と、前記排出部に着脱可能に結合され、排出部を被覆するオーバーキャップと、で構成される。
【０００３】
前記のようなチューブ容器は、容器本体を加圧時に、容器本体の内部圧力が変化し、排出部から内容物の排出が行われ、内容物の塗布が容易なように内容物を吸収して外部に排出させるブラシのようなアプリケータをチューブの上部構造体に結合して使用する。
【０００４】
一方、近年、肌の美容に対する関心が高まり、内容物の単純吸収では、満足できる肌吸収量と美容効果を得にくいことから、顔の肌の代謝を促進させ、肌の弾力性を向上させることができるように、熱気、又は冷気を肌に伝達するための多様な方法が試みられており、このような化粧品容器が大韓民国特許第１０−２００８−００９９８１６号公報（以下、特許文献１と呼ぶ）に開示されている。
【０００５】
特許文献１に記載のディスペンサーは、内容物を収容するための貯蔵部を有するハウジングと、前記ハウジングに結合され、又は前記内容物を表面に塗布するための塗布面を具備し、金属、又はセラミックからなる蓄熱チップと、前記蓄熱チップの前記塗布面内に配置され、前記貯蔵部と連通する内容物移送通路を形成するインサートと、を含み、前記内容物移送通路は前記蓄熱チップを貫通し前記塗布面の開口で終端し、かつ、前記インサートは熱可塑性ポリマーからなることを特徴とする。
【０００６】
特許文献１に記載のディスペンサーは、前記蓄熱チップを介してユーザの肌に内容物を塗布する時、熱気、又は冷気を伝達するように構成され、前記蓄熱チップが前記ハウジングに固定設置される構造であり、前記蓄熱チップがユーザの肌の曲面に沿って柔軟に変形することができないので、前記蓄熱チップによって内容物を塗布、又は、マッサージする時に、ユーザの肌に刺激を与えるという問題点があった。
【０００７】
また、前記蓄熱チップの塗布面に開口を形成し、製品移送通路であるインサートが塗布面の開口を貫通し設置され、製品移送通路が外部に露出した状態で内容物を吐出する構造なので、製品移送通路を通って吐出された内容物が、インサートと開口が形成された空間に流入し、固着する現象が発生し、前記蓄熱チップの汚損を招く恐れがあるという問題点があった。
【０００８】
上述のような問題点を解消するために、肌の曲面に沿ってアプリケータの角度を柔軟に変化するように構成された「アプリケータを具備したチューブ容器」が大韓民国登録特許第１０−１４１１９９０号（以下、特許文献２と呼ぶ）に開示されている。
【０００９】
特許文献２に記載の「アプリケータを具備したチューブ容器」は、内容物を収容し、その上部に内容物を排出する排出部を具備するチューブ本体と、前記排出部に結合され、前記排出部から排出される内容物が移動するように、内部に内容物移動通路を持つ支持体と、前記支持体の上端を覆って結合され、ユーザの肌に内容物を塗布し、中央部に前記内容物移動通路と連通し、前記内容物移動通路を介して移動する内容物を外部に吐出させる内容物吐出ホールが形成されたアプリケータと、前記支持体、及びアプリケータを覆って、前記排出部に結合され、内側に前記内容物吐出ホールを閉栓する閉栓棒を持つオーバーキャップと、を含み、
前記支持体は、弾性材で形成され、前記アプリケータを用いて内容物を肌に塗布したり、マッサージしたりする時、肌の曲面に沿ってアプリケータの角度が変化するように、下部を中心軸にし、上部が３６０度回転可能なように構成されることが特徴である。
【００１０】
しかし、特許文献２に記載の「アプリケータを具備したチューブ容器」は、弾性材で形成された支持体の変形により、アプリケータと支持体との結合性が悪化し、アプリケータが離脱する現象が発生する可能性があるという問題があった。
【００１１】
また、オーバーキャップを排出部に締結する過程で、弾性材質の支持体が収縮により、アプリケータと一緒に座屈する現象が発生し、オーバーキャップの締結が容易にはできないという問題があった。
【００１２】
また、弾性材質の支持体が自由に弾性変形する構造であるため、アプリケータがユーザの肌に接触する時、支持体の傾く程度を制御することが容易にはできないという問題点があった。
【先行技術文献】
【特許文献】
【００１３】
【特許文献１】大韓民国公開特許第１０−２００８−００９９８１６号公報
【特許文献２】大韓民国登録特許第１０−１４１１９９０号公報
【発明の概要】
【発明が解決しようとする課題】
【００１４】
本発明は上述した問題点を解決するために創作されたもので、本発明の目的は、支持体の内側に回転制御部を設け、アプリケータを用いて内容物を肌に塗布、又は肌をマッサージする時、支持体の傾く程度を制御することが容易にできるだけでなく、回転制御部を介してアプリケータと結合される支持体上部の変形を防止することにより、アプリケータと支持体との結合性を向上させ、アプリケータが離脱する現象を防止することができる、アプリケータを具備したチューブ容器を提供することである。
【００１５】
また、他の目的は、オーバーキャップを固定体に締結する過程で、回転制御部によって支持体の収縮を防止し、オーバーキャップを容易に締結することができる、アプリケータを具備したチューブ容器を提供することである。
【課題を解決するための手段】
【００１６】
上述のような問題点を解決するために、本発明に係る、アプリケータを具備したチューブ容器は、内容物を収容し、内容物を排出する排出部を上部に具備したチューブ本体と、前記排出部に結合され、前記排出部から排出される内容物が移動する内容物移動通路を内部に持ち、下部を中心軸にして、上部が３６０度回転可能に構成される、弾性材質の支持体と、前記支持体の上部に結合され、中央部に内容物吐出ホールを持ち、前記支持体のユーザの肌の曲面に沿った変形によって角度が変化し、ユーザの肌に内容物を塗布するアプリケータと、前記支持体の内側に挿入され、上部が前記アプリケータの内側に結合され、前記アプリケータを支持し、前記支持体の上部内周面に密着し、前記支持体の変形を制限する回転制御部と、前記支持体の下部を覆って前記排出部に結合され、前記支持体を前記排出部に固定する固定体と、前記支持体及び前記アプリケータを覆って前記固定体に結合され、前記内容物吐出ホールを閉栓する閉栓棒を内側に持つオーバーキャップと、を有することを特徴とする。
【００１７】
また、前記回転制御部は、前記排出部の内側に受支され、前記支持体の傾く程度を制御する回転軸と、前記回転軸の上部に延在し、前記支持体の上部内周面に密着し、前記内容物移動通路を通って移動する内容物が、前記内容物吐出ホールに移動するための、内容物流入ホール及び内容物移動ホールが形成された内容物移動部と、を有することを特徴とする。
【００１８】
また、前記内容物移動部の外周面には、前記内容物移動部が上方に移動することを制限する制限部が形成され、前記支持体の内側には、前記制限部の上端を係止する抑止部が設けられることを特徴とする。
【００１９】
また、前記内容物移動部の外周面には、前記アプリケータが前記支持体から離脱することを防止するように離脱防止突起が設けられ、前記アプリケータの内側には、前記離脱防止突起の下端に当接する係止部が設けられることを特徴とする。
【００２０】
また、前記排出部の内側には、前記回転軸の下端を受支するために多数の受支突起が離間して並び、内容物が移動する空間を形成することを特徴とする。
【００２１】
また、前記排出部の外周面には、前記オーバーキャップが前記固定体に締結される過程で、前記固定体が回転することを防止するように回転防止突起が設けられ、前記固定体の内周面には、前記回転防止突起と嵌合する回転防止溝が設けられることを特徴とする。
【発明の効果】
【００２２】
以上のように、本発明によれば、支持体の内側に回転制御部を設け、アプリケータを用いて内容物を肌に塗布、又は肌をマッサージする時に、支持体の傾く程度を制御することが容易にできるだけでなく、回転制御部を介してアプリケータと結合される支持体上部の変形を防止することにより、アプリケータと支持体との結合性を向上させ、アプリケータが離脱する現象を防止できるという長所がある。
【００２３】
また、オーバーキャップを固定体に締結する過程で、回転制御部によって支持体の収縮を防止し、オーバーキャップを容易に締結できるという長所がある。
【図面の簡単な説明】
【００２４】
【図１】本発明の好ましい実施例に係る、アプリケータを具備したチューブ容器の構成を示す分解斜視図である。
【図２】本発明の好ましい実施例に係る、アプリケータを具備したチューブ容器の構成を示す組立斜視図である。
【図３】本発明の好ましい実施例に係る、アプリケータを具備したチューブ容器の構成を示す組立断面図である。
【図４】本発明の好ましい実施例に係る、アプリケータを具備したチューブ容器の支持体の回転によるアプリケータの角度変化を示す説明図である。
【図５】図５（ａ）、（ｂ）は、本発明の好ましい実施例に係る、アプリケータを具備したチューブ容器の使用状態を示す状態図である。
【発明を実施するための形態】
【００２５】
以下、図面を参照して、本発明を詳細に説明する。各図面に示された同一の参照符号は同一の部材を示す。
【００２６】
図１は、本発明の好ましい実施例に係る、アプリケータを具備したチューブ容器の構成を示す分解斜視図であり、図２は、本発明の好ましい実施例に係る、アプリケータを具備したチューブ容器の構成を示す組立斜視図であり、図３は、本発明の好ましい実施例に係る、アプリケータを具備したチューブ容器の構成を示す組立断面図である。
【００２７】
図１〜図３を参照すると、本発明の好ましい実施例に係る、アプリケータを具備したチューブ容器は、チューブ本体１００、支持体２００、アプリケータ３００、回転制御部４００、固定体５００、及び、オーバーキャップ６００を有する。
【００２８】
チューブ本体１００は、内容物を収容し、ユーザの加圧によって変形し、内部圧力によって内容物を排出するように軟質のチューブで構成される。
【００２９】
チューブ本体１００の上部には、チューブ本体１００の加圧によって、チューブ本体１００に収容された内容物を排出するための排出部１１０が設けられ、排出部１１０の内側には、後述する回転軸４１０の下端を受支する、多数の受支突起１１１が離間して形成され、内容物が移動する空間を形成する。
【００３０】
また、排出部１１０の外周面には、後述するオーバーキャップ６００が固定体５００に締結される過程で、固定体５００が回転することを防止するために回転防止突起１１２が具備される。
【００３１】
支持体２００は、排出部１１０に結合され、アプリケータ３００を支持し、排出部１１０から排出される内容物が移動するための、内容物移動通路２１０を内部に有する。内容物移動通路２１０の下部は排出部１１０と連通し、上部は回転制御部４００の内容物流入ホール４２１と連通し、排出部１１０から排出される内容物は、内容物流入ホール４２１に流入することができる。
【００３２】
本発明において、支持体２００は、弾性材で構成されることが特徴であり、アプリケータ３００を利用し、内容物を肌に塗布する、又は肌をマッサージする時に、その弾性力によって肌の曲面に沿ってアプリケータ３００の角度を変化させることができる。
【００３３】
支持体２００は、上部に結合されるアプリケータ３００の角度を柔軟に変化させることができるように、下部を中心軸にして、上部が回転可能に構成される。また、アプリケータ３００がユーザの肌に接触することによって支持体２００が一方の側に傾くとき、図４に示すように、回転軸４１０の側面が排出部１１０の上端の一方の側に接触することによって傾く程度を制御することができる。
【００３４】
支持体２００は、多様な角度で回転するように構成することができ、好ましくは、下部を中心軸にして３６０度回転するように構成されることが望ましい。
【００３５】
一方、支持体２００の内側には、回転制御部４００が上方に移動して支持体２００から離脱することを防止するために、内容物移動部４２０の制限部４２３の上端を支持する抑止部２２０が形成される。
【００３６】
アプリケータ３００は、支持体２００の上部を覆って結合され、ユーザの肌に内容物を塗布するものであり、中央部に、内容物移動ホール４２２と連通し、内容物移動ホール４２２を通って移動する内容物を外部に吐出させる内容物吐出ホール３１０を有し、内容物吐出ホール３１０は、内容物移動ホール４２２の直上に位置し、内容物移動ホール４２２と連通する。
【００３７】
本発明において、アプリケータ３００は、内容物吐出ホール３１０から吐出された内容物を肌に塗布する時、図４に示すように、支持体２００の弾性力によって、ユーザの肌の曲面に沿って角度が柔軟に変化するように構成されることが特徴であり、これによって、肌の刺激を最小化し、効率的に内容物を塗布する、又はマッサージすることを可能にする。
【００３８】
一方、アプリケータ３００は、内容物吐出ホール３１０から吐出された内容物を肌に塗布する時、その上面がユーザの肌に接触して冷気、又はぬくもりを肌に伝え、肌の代謝を促進させ、肌の弾力を向上させることができるようにするために、熱伝達効率が高い金属材質、又は、熱伝達が可能なセラミック、プラスチック、ゴム材等で構成される。
【００３９】
また、アプリケータ３００は、化粧部位によって円形、球形等の、多様な形状で形成することができる。
【００４０】
一方、アプリケータ３００の内側には、アプリケータ３００が支持体２００から離脱することを防止するために、内容物移動部４２０の離脱防止突起４２４の下端に当接する係止部３２０が形成される。
【００４１】
回転制御部４００は、支持体２００の内側に挿入され、アプリケータ３００を支持し、支持体２００の傾く程度を制御するもので、回転軸４１０、内容物移動部４２０を有する。
【００４２】
回転軸４１０は、排出部１１０の受支突起１１１に受支され、支持体２００の傾く程度を制御するもので、アプリケータ３００が、ユーザの肌に接触することによって支持体２００が一方の側に傾く場合、その側面が排出部１１０の上端の一方の側に接触することによって支持体２００の傾く程度を制御するように構成される。
【００４３】
回転軸４１０は、受支突起１１１に受支された状態で回転制御部４００を支持体２００の内側に固定し、これにより、オーバーキャップ６００を固定体５００に締結する過程で、支持体２００が収縮し変形することを防止することができ、固定体５００にオーバーキャップ６００を容易に締結することができるようになる。
【００４４】
内容物移動部４２０は、回転軸４１０の上部に延在し、内容物移動通路２１０を通って移動する内容物が、内容物吐出ホール３１０に移動するようにガイドするもので、内容物移動通路２１０を通って移動する内容物が流入することができるように、その側面に内容物流入ホール４２１が形成され、上端には、内容物流入ホール４２１から流入した内容物が、内容物吐出ホール３１０に移動するための内容物移動ホール４２２が形成される。
【００４５】
本発明において、内容物移動部４２０は、支持体２００の上部内周面に密着し、支持体２００の上部が変形することを防止するように構成されることが特徴である。アプリケータ３００を介して肌に内容物を塗布する、又は肌をマッサージする時に、支持体２００の上部が内側方向に変形する場合、アプリケータ３００との結合力が低下し、アプリケータ３００が支持体２００から離脱する恐れがあるが、内容物移動部４２０が支持体２００の上部内周面に密着し、支持体２００の上部が内側方向に変形することを防止することにより、アプリケータ３００が支持体２００から離脱することを防止することができる。
【００４６】
内容物移動部４２０の上部外周面には、アプリケータ３００が、支持体２００から離脱することを防止するために、アプリケータ３００の係止部３２０の上端を係止する離脱防止突起４２４が具備される。
【００４７】
一方、内容物移動部４２０の外周面には、内容物移動部４２０が上方に移動することを制限するように、支持体２００の抑止部２２０の下端によって係止される制限部４２３が形成される。
【００４８】
固定体５００は、支持体２００の下部を覆って、排出部１１０に結合され、支持体２００を排出部１１０に固定させるもので、その外周面には、オーバーキャップ６００が螺合することができるようにねじ山が形成され、その内周面には、オーバーキャップ６００が螺合する過程で、固定体５００が回転することを防止するために、回転防止突起１１２と嵌合する回転防止溝５１０が形成される。
【００４９】
オーバーキャップ６００は、支持体２００、及び、アプリケータ３００を覆って、固定体５００に結合されるもので、その内部上側には、下方向に突出し、内容物吐出ホール３１０、及び、内容物移動ホール４２２を閉栓する閉栓棒６１０が形成される。
【００５０】
以下、図５（ａ）、（ｂ）を参照して、本発明の好ましい実施例に係る、アプリケータを具備したチューブ容器の内容物吐出過程を説明する。図５（ａ）、（ｂ）は、本発明の好ましい実施例に係る、アプリケータを具備したチューブ容器の使用状態を示す状態図である。図５（ａ）、（ｂ）に示すように、ユーザがチューブ本体１００を加圧すると、チューブ本体１００に貯蔵された内容物が排出部１１０の内側に設けられた多数の受支突起１１１が形成する空間を通って、支持体２００の内容物移動通路２１０に移動し、内容物移動通路２１０に移動した内容物が回転制御部４００の内容物流入ホール４２１を通って、内容物移動部４２０の内部に流入した後、内容物移動部４２０の上端に形成された内容物移動ホール４２２を通って、アプリケータ３００の内容物吐出ホール３１０から外部に吐出される。
【００５１】
上述のように、内容物吐出過程で内容物移動通路２１０を通って移動する内容物が内容物吐出ホール３１０に直接吐出されないで、内容物流入ホール４２１を通って内容物移動部４２０の内部に流入し、内容物移動ホール４２２を通って、内容物吐出ホール３１０から吐出されることによって吐出方向が転換されることで、内容物が急激に排出され、噴出する現象を防止することができる。
【００５２】
図面と明細書で最適の実施例を開示した。ここで特定の用語を用いたが、これは単に本発明を説明するための目的で用いたものであり、意味の限定や特許請求の範囲に記載された本発明の範囲を制限するために用いたものではない。従って、当該技術分野の通常の知識を有する者であれば、多様な変形及び均等な他の実施例が可能であることを理解できるであろう。また、本発明の真の技術的保護範囲は、添付された特許請求の範囲の技術的思想によって定められるべきである。
【図１】
0006286102.tif 000002
【図２】
0006286102.tif 000003
【図３】
0006286102.tif 000004
【図４】
0006286102.tif 000005
【図５】
0006286102.tif 000006